【手続補正書】
【提出日】平成25年11月6日(2013.11.6)
【手続補正１】
【補正対象書類名】特許請求の範囲
【補正対象項目名】全文
【補正方法】変更
【補正の内容】
【特許請求の範囲】
【請求項１】
炭素質物質（Ｍ１０、Ｍ１１）の利用による、排出のないエネルギー（Ｅ１、Ｅ２、Ｅ４）ならびに／または炭化水素および他の生成物（Ｍ６０、Ｍ６１）の生成の工程であって、
当該工程の中の第１の処理過程（Ｐ１）において、炭素質物質（Ｍ１０、Ｍ１１）が供給され、熱分解され、熱分解コークス（Ｍ２１）および熱分解ガス（Ｍ２２）が生じ；
第２の処理過程（Ｐ２）において、前記第１の処理過程（Ｐ１）由来の前記熱分解コークス（Ｍ２１）が気化され、合成ガス（Ｍ２４）が生じ、スラグおよび他の残留物（Ｍ９１、Ｍ９２）が除去され、；
第３の処理過程（Ｐ３）において、前記第２の処理過程（Ｐ２）由来の前記合成ガス（Ｍ２４）が炭化水素ならびに／または他の固体、液体および／もしくはガス状の生成物（Ｍ６０、Ｍ６１）に変換され、排出され；
前記３つの処理過程（Ｐ１、Ｐ２、Ｐ３）は閉サイクルを形成し、前記第３の処理過程（Ｐ３）由来の余剰ガス（Ｍ２５）はリサイクルガスとして、前記第１の処理過程（Ｐ１）および／または前記第２の処理過程（Ｐ２）を通過し、前記第１の処理過程（Ｐ１）の熱分解ガス（Ｍ２２）は、前記第２の処理過程（Ｐ２）および／または前記第３の処理過程（Ｐ３）を通過する、工程。
【請求項２】
水素（Ｍ３２）が、好ましくは、前記第３の処理過程（Ｐ３）で供給される、請求項１に記載の工程。
【請求項３】
二酸化炭素（Ｍ３３）が、好ましくは、前記第１の処理過程（Ｐ１）または第２の処理過程（Ｐ２）で供給される、請求項１または請求項２に記載の工程。
【請求項４】
前記サイクルに沿って圧力降下があることを特徴とする、請求項１〜３のいずれか１項に記載の工程。
【請求項５】
前記第１の処理過程（Ｐ１）における熱分解反応の熱エネルギーが、前記第２の処理過程（Ｐ２）由来の熱い合成ガスの一部（Ｍ２４ｂ）を前記第１の処理過程（Ｐ１）に戻すことによって、ならびに／または前記炭素質出発物質（Ｍ１１）および結果として得られる熱分解コークス（Ｍ２１）の部分酸化によって部分的にまたは完全に提供されることを特徴とする、請求項１〜４のいずれか１項に記載の工程。
【請求項６】
前記第１の処理過程（Ｐ１）が３００〜８００℃の間、好ましくは、４５０〜７００℃の間、特に好ましくは、５００〜６００℃の間の温度で実行される、請求項１〜５のいずれか１項に記載の工程。
【請求項７】
前記第２の処理過程（Ｐ２）におけるガス化反応について、酸素（Ｍ３１）および／または蒸気（Ｍ５０）および／または二酸化炭素（Ｍ３３）がガス化剤として用いられることを特徴とする、請求項１〜６のいずれか１項に記載の工程。
【請求項８】
前記第２の処理過程（Ｐ２）において、ガス化反応に必要とされる熱エネルギーが、外部から、例えば、加熱装置および／もしくは熱交換機によって部分的にまたは完全に供給され、かつ／または前記熱分解コークス（Ｍ２１）の一部を酸化剤、特に酸素（Ｍ３１）で酸化することによって生成される、請求項１〜７のいずれか１項に記載の工程。
【請求項９】
前記第２の処理過程（Ｐ２）が６００〜１６００℃の間、好ましくは、７００〜１４００℃の間、特に好ましくは、８５０〜１０００℃の間の温度で実行される、請求項１〜８のいずれか１項に記載の工程。
【請求項１０】
前記第１の処理過程（Ｐ１）および／または前記第２の処理過程（Ｐ２）が、１〜６０バール、好ましくは、５〜２５バール、特に好ましくは、１０〜１５バールの間の圧力で実行される、請求項１〜９のいずれか１項に記載の工程。
【請求項１１】
前記第１の処理過程（Ｐ１）および前記第２の処理過程（Ｐ２）が同じ圧力反応器（Ａ２４）の中で実行される、請求項１〜１０のいずれか１項に記載の工程。
【請求項１２】
前記第３の処理過程（Ｐ３）における変換がフィッシャー・トロプシュ合成または液相メタノール合成を用いて実行される、請求項１〜１１のいずれか１項に記載の工程。
【請求項１３】
電気的および／または機械的エネルギー（Ｅ２）が、前記第３の処理過程（Ｐ３）の炭化水素ならびに他の固体、液体、および／もしくはガス状の生成物（Ｍ６１）の、基本的に二酸化炭素および水からなる酸化ガス（Ｍ２７）への酸化によって生成される（Ｃ１１、Ｃ３１）ことを特徴とする、請求項１〜１２のいずれか１項に記載の工程。
【請求項１４】
純酸素（Ｍ３１）が酸化剤として用いられることを特徴とする、請求項１３に記載の工程。
【請求項１５】
水が前記酸化ガス（Ｍ２７）から凝縮され、かつ／または分離されることを特徴とする、請求項１３または１４に記載の工程。
【請求項１６】
前記酸化ガス（Ｍ２７）の少なくとも一部が、前記利用工程の第１の処理過程（Ｐ１）および／または第２の処理過程（Ｐ２）および／または第３の処理過程（Ｐ３）にフィードバックされることを特徴とする、請求項１３〜１５のいずれか１項に記載の工程。
【請求項１７】
電気的および／または機械的エネルギー（Ｅ１）が、熱交換器（Ａ４４、Ａ４６）の中で前記合成ガス（Ｍ２４）を冷却することによって生成され、その際、過熱蒸気（Ｍ５０、Ｍ５０、Ｍ５１、Ｍ５２）および／または別の熱いガスが生じ、それから電気的および／または機械的エネルギー（Ｅ１）が熱機関（Ａ６２）、好ましくは、蒸気タービンを用いて生成されることを特徴とする、請求項１〜１６のいずれか１項に記載の工程。
【請求項１８】
炭素質物質（Ｍ１０、Ｍ１１）を利用することによる排出のないエネルギー（Ｅ１、Ｅ２、Ｅ４）ならびに／または炭化水素および／または他の生成物（Ｍ６０、Ｍ６１）の生成のための設備（Ｚ）であって、
前記炭素質物質（Ｍ１１）の熱分解を行って、熱分解コークス（Ｍ２１）および熱分解ガス（Ｍ２２）を形成するための第１のサブユニット（ＡＣ、Ｐ１）と；
前記熱分解コークス（Ｍ２１）の気化を行って、合成ガス（Ｍ２４）および残留物（Ｍ９１、Ｍ９２、Ｍ９３、Ｍ９４）を形成するための第２のサブユニット（ＡＤ、Ｐ２）と；
前記合成ガス（Ｍ２４）の、炭化水素ならびに／または他の固体、液体および／もしくはガス状の生成物（Ｍ６０、Ｍ６１）への変換を行うための第３のサブユニット（ＡＥ、Ｐ３）と
を備える利用ユニット（ＡＢ）を含む利用装置（Ａ）を備える設備（Ｚ）において、
前記利用ユニット（ＡＢ）の全３つのサブユニット（ＡＣ、ＡＤ、ＡＥ）が圧力をかけて密閉され、基本的に閉サイクルを形成し、前記熱分解ガス（Ｍ２２）の輸送管は、前記第１のサブユニット（ＡＣ、Ｐ１）を前記第２のサブユニット（ＡＤ、Ｐ２）および／または前記第３のサブユニット（ＡＥ、Ｐ３）にしっかり圧力をかけて接続し、前記合成ガス（Ｍ２４）の輸送管が、前記第２のサブユニット（ＡＤ、Ｐ２）を前記第３のサブユニット（ＡＥ、Ｐ３）および／または前記第１のサブユニット（ＡＣ、Ｐ１）にしっかり圧力をかけて接続し、リサイクルガス（Ｍ２５）の輸送管が、前記第３のサブユニット（ＡＥ、Ｐ３）を前記第１のサブユニット（ＡＣ、Ｐ１）および／または前記第２のサブユニット（ＡＤ、Ｐ２）にしっかり圧力をかけて接続することを特徴とする、設備。
【請求項１９】
少なくとも１つのコンプレッサー（Ａ４１、Ａ４２、Ａ４３）が前記利用ユニット（ＡＢ）の前記輸送管の少なくとも１つと並行して配置されることを特徴とする、請求項１８に記載の設備。
【請求項２０】
前記利用ユニット（ＡＢ）のサブユニット（ＡＣ、ＡＤ、ＡＥ）のそれぞれが、１つまたは複数の圧力反応器（Ａ１４、Ａ２２、Ａ２４）を含むことを特徴とする、請求項１８または１９に記載の設備。
【請求項２１】
前記利用ユニット（ＡＢ）の前記第１のサブユニット（ＡＣ）および前記第２のサブユニット（ＡＤ）が共有の圧力反応器（Ａ２４）を含むことを特徴とする、請求項１８〜２０のいずれか１項に記載の設備。
【請求項２２】
前記利用ユニット（ＡＢ）の前記第３のサブユニット（Ｐ３、ＡＥ）がフィッシャー・トロプシュ合成過程、および／または液相メタノール合成過程を含むことを特徴とする、請求項１８〜２１のいずれか１項に記載の設備。
【請求項２３】
燃料（Ｍ６１）として利用装置（Ａ）由来の炭化水素および／または他の生成物を用いることによって、電気的および／もしくは機械的エネルギー（Ｅ２）ならびに／または熱エネルギーを生成するために配置されるエネルギー装置（Ｃ）によって特徴づけられる、請求項１８〜２２のいずれか１項に記載の設備。
【請求項２４】
前記エネルギー装置（Ｃ）に、燃料（Ｍ６１）から電気的および／もしくは機械的エネルギー（Ｅ２）を生成する（Ｃ３１）ための駆動装置（Ｃ１１）が提供されることを特徴とし、前記駆動装置（Ｃ１１）が、動作に必要なエネルギーを前記燃料（Ｍ６１）の、基本的に二酸化炭素および水からなる酸化ガス（Ｍ２７）への酸化から得、前記酸化ガス（Ｍ２７）の圧縮（Ｃ１３）および／または凝縮（Ｃ１２）のための装置を含む、請求項２３に記載の設備。
【請求項２５】
前記エネルギー装置（Ｃ）の駆動装置（Ｃ１１）が酸化剤として純酸素（Ｍ３１）で動作され得ることを特徴とする、請求項２４に記載の設備。
【請求項２６】
前記エネルギー装置（Ｃ）の駆動装置（Ｃ１１）が、前記酸化ガス（Ｍ２７）の圧縮ならびに／または凝縮のための装置（Ｃ１３）の上流および／もしくは下流に、前記酸化ガス流（Ｍ２７）を冷却するための熱交換器（Ｃ１２）を含むことを特徴とする、請求項２４または２５に記載の設備。
【請求項２７】
前記エネルギー装置（Ｃ）の駆動装置（Ｃ１１）が、前記酸化ガス（Ｍ２７）からの水（Ｍ４１）の凝縮および／または分離のための装置を含むことを特徴とする、請求項２４〜２６のいずれか１項に記載の設備。
【請求項２８】
前記エネルギー装置（Ｃ）の駆動装置（Ｃ１１）に、前記酸化ガス（Ｍ２７）の圧縮および／もしくは凝縮後に、前記酸化ガス（Ｍ２７）、または残留ガス（Ｍ２６）をそれぞれ収集するための貯蔵庫（ＢＢ）が提供されることを特徴とする、請求項２４〜２７のいずれか１項に記載の設備。
【請求項２９】
前記エネルギー装置（Ｃ）の駆動装置（Ｃ１１）が、酸素（Ｍ３１）による液体またはガス状の燃料（Ｍ６１）の燃焼のための少なくとも１つの燃焼チャンバー（Ｃ２１）を備え、結果として得られるガスの圧力またはガス量を機械的仕事に変換する手段（Ｃ２１、Ｃ３０）を有し、前記燃焼チャンバー（Ｃ２１）に酸素（Ｍ３１）を導入するための供給装置（Ｃ２７）を備え、前記燃焼チャンバー（Ｃ２１）から前記酸化ガス（Ｍ２７）を除去するための通気装置（Ｃ２４）を備える燃焼機関であることを特徴とする、請求項２４〜２８のいずれか１項に記載の設備。
【請求項３０】
前記エネルギー装置（Ｃ）の駆動装置（Ｃ１１）に、前記燃焼チャンバー（Ｃ２１）に、ならびに／または前記燃焼チャンバー（Ｃ２１）から出た後の前記酸化ガス流（Ｍ２７）に、水（Ｍ４０）および／もしくは蒸気（Ｍ５０）を導入するための供給装置（Ｃ２８）が提供されることを特徴とする、請求項２９に記載の設備。
【請求項３１】
前記利用装置（Ａ）が、前記利用ユニット（ＡＢ）で生成されたか、または過熱された蒸気（Ｍ５０、Ｍ５０、Ｍ５１、Ｍ５２）および／もしくは他の熱いガスから電気的および／もしくは機械的エネルギー（Ｅ１）を生成する（Ａ６４）ための少なくとも１つの駆動装置（Ａ６１）を備える、電気的および／もしくは機械的エネルギー（Ｅ１）を生成するためのエネルギーユニット（ＡＦ）を含むことを特徴とする、請求項１８〜３０のいずれか１項に記載の設備。
【請求項３２】
前記利用装置（Ａ）のエネルギーユニット（ＡＦ）が、前記利用ユニット（ＡＢ）で生成されたか、または過熱された蒸気（Ｍ５０、Ｍ５０、Ｍ５１、Ｍ５２）または他の熱いガスから電気的および／もしくは機械的エネルギー（Ｅ１）を生成する（Ａ６４）ための駆動装置（Ａ６１）を含み、その中の前記利用ユニット（ＡＢ）のサイクルにおいて、少なくとも１つの熱交換器（Ａ４４、Ａ４５、Ａ３２）に、加熱蒸気（Ｍ５１、Ｍ５２）および／もしくは他のガス、ならびに／または生成蒸気（Ｍ５０）が提供されることを特徴とする、請求項３１に記載の設備。
【請求項３３】
水素（Ｍ３２）の生産のための装置（Ｄ）、および前記利用ユニット（ＡＢ）に前記水素を供給するための手段によって特徴づけられる、請求項１８〜３２のいずれか１項に記載の設備。